(57)【要約】【課題】  冷蔵空間と冷凍空間とを専用の冷却器およびファンで冷却して冷凍サイクル効率を向上させ、冷蔵空間内の湿度を高くして食品鮮度を長期に保持するとともに、単一の脱臭除菌装置によって冷蔵および冷凍空間における臭気や除菌をおこなうことができる冷蔵庫を提供する。【解決手段】  冷蔵空間用冷却器７と冷凍空間用冷却器９、および前記各冷却器で生成された冷気を吐出するファン８、10と、各ファンからの冷気を前記各冷却空間毎に導入して内部を所定温度に冷却する冷蔵室２、野菜室５、冷凍室６など複数の冷却貯蔵室を設けた冷蔵庫において、前記冷蔵室や野菜室などの冷蔵空間に冷凍空間用冷却器からの循環冷気の一部を導入して冷蔵空間と冷凍空間を連通状態にするとともに、前記冷蔵あるいは冷凍空間の冷気通路14の一部に脱臭装置33を配設したことを特徴とする。【選択図】  図１
2006258332.tif 000002
【特許請求の範囲】
【請求項１】
冷蔵空間用冷却器と冷凍空間用冷却器、および前記各冷却器で生成された冷気を吐出するファンと、各ファンからの冷気を前記各冷却空間毎に導入して内部を所定温度に冷却する冷蔵室、野菜室、冷凍室など複数の冷却貯蔵室を設けた冷蔵庫において、前記冷蔵室や野菜室などの冷蔵空間に冷凍空間用冷却器からの循環冷気の一部を導入して冷蔵空間と冷凍空間を連通状態にするとともに、前記冷蔵あるいは冷凍空間の冷気通路の一部に脱臭装置を配設したことを特徴とする冷蔵庫。
【請求項２】
脱臭装置を冷蔵室における冷気吸込み口近傍の冷蔵用冷却器へのリターンダクト内に配設したことを特徴とする請求項１記載の冷蔵庫。
【請求項３】
脱臭装置を冷凍室における冷気吸込み口近傍の冷凍用冷却器へのリターンダクト内に配設したことを特徴とする請求項１記載の冷蔵庫。
【請求項４】
冷蔵庫本体の最上部に配置した冷蔵室と野菜室との間に製氷室や温度切替室などの冷凍温度になる貯蔵室を配設し、これら製氷室や温度切替室などから野菜室の背面に沿って立設させた冷凍空間用冷却器への各リターンダクトを前記冷凍空間用冷却器前面に設けるとともに、野菜室には冷蔵室側からの冷気とともに製氷室および温度切替室から冷凍用冷却器へのリターンダクトを通過する冷気の一部を吹き出すようにしたことを特徴とする請求項１記載の冷蔵庫。
【発明の詳細な説明】
【技術分野】
【０００１】
本発明は、冷蔵空間と冷凍空間とを専用の冷却器およびファンで冷却する複数の冷却貯蔵室を有する冷蔵庫に関する。
【背景技術】
【０００２】
近年、生活パターンや家族形態の多様化から、冷蔵庫商品へのユーザーニーズは消費電力の低減やフロン問題など環境対応にとどまらず、多様な貯蔵雰囲気室の設置や貯蔵温度毎の収納容量の拡大、使い勝手の向上など広範囲に亙っている。
【０００３】
このような商品環境の中で、冷凍サイクルとしては、冷蔵室や野菜室などの冷蔵空間温度帯の貯蔵室は冷媒蒸発温度を比較的高く設定した冷蔵用冷却器で冷却し、冷凍室と製氷や貯氷をする製氷室および多温度に設定冷却温度を切り替えることができる切替室は蒸発温度を低く設定した冷凍用冷却器で冷却するなど、それぞれの冷却温度に合わせた蒸発温度として冷凍空間および冷蔵空間の個々に専用の冷却器およびファンを設けてサイクル効率を向上させるとともに、冷蔵室内の湿度を高くして食品鮮度を長期に保持するようにした冷蔵庫が商品化されている。そして、各貯蔵室の設置場所については、使用頻度が高く収納容積の最も大きい冷蔵室を最上段に設置し、その下方に野菜室、最下部に冷凍室を設置したタイプが主流になり、さらに、比較的小容量の製氷貯蔵室や多温度切替室などを前記冷蔵室と野菜室との間に配設して使い勝手を向上した形態が提案されている（例えば、特許文献１参照）。
【０００４】
一方、高電圧放電によってオゾンや紫外線を発生させ、この紫外線により活性化された光触媒作用で空気中に含まれている臭気成分や有害物質などの分解をおこなう光触媒モジュールと、高電圧放電手段により発生させたオゾンをオゾン分解手段で分解するようにした脱臭装置が提案されている（例えば、特許文献２参照）。
【特許文献１】特開２００３−３１４９４５公報
【特許文献２】特開２００３−３３９８３９公報
【発明の開示】
【発明が解決しようとする課題】
【０００５】
しかしながら、上記冷蔵庫のように、多種多様な貯蔵雰囲気室が独立して設置されている場合には、前記脱臭装置は少なくとも各貯蔵空間毎に設ける必要があり、設置によるスペース効率が低下するとともにコスト的にも高価になる欠点があった。
【０００６】
本発明は上記点を考慮してなされたものであり、冷蔵空間と冷凍空間とを専用の冷却器およびファンで冷却して冷凍サイクル効率を向上させ、冷蔵空間内の湿度を高くして食品鮮度を長期に保持するとともに、単一の脱臭除菌装置によって冷蔵および冷凍空間における臭気や除菌をおこなうことができる冷蔵庫を提供することを目的とする。
【課題を解決するための手段】
【０００７】
上記課題を解決するため、本発明は、冷蔵空間用冷却器と冷凍空間用冷却器、および前記各冷却器で生成された冷気を吐出するファンと、各ファンからの冷気を前記各冷却空間毎に導入して内部を所定温度に冷却する冷蔵室、野菜室、冷凍室など複数の冷却貯蔵室を設けた冷蔵庫において、前記冷蔵室や野菜室などの冷蔵空間に冷凍空間用冷却器からの循環冷気の一部を導入して冷蔵空間と冷凍空間を連通状態にするとともに、前記冷蔵あるいは冷凍空間の冷気通路の一部に脱臭装置を配設したことを特徴とするものである。
【発明の効果】
【０００８】
本発明の構成によれば、それぞれの貯蔵室温度に即して冷凍用あるいは冷蔵用冷却器の蒸発温度を設定できるので、冷凍サイクル効率を高く維持できるとともに、冷気通路に設けた単一の装置によって連通状態にした冷蔵あるいは冷凍空間の脱臭除菌を効果的におこなうことができ、貯蔵スペースの効率向上とコスト低減に寄与することができる。
【発明を実施するための最良の形態】
【０００９】
以下、図面に基づき本発明の１実施形態について説明する。図１は本発明に係る冷蔵庫の縦断面図、図２は同冷蔵庫の扉を省略した正面図であり、断熱箱体からなる冷蔵庫本体（１）内部の貯蔵空間の最上部には収納容量の大きい冷蔵室（２）を配置し、その下方には断熱仕切壁を介して、比較的小容量の自動製氷装置と貯氷箱を備えた製氷室（３）と室内を−１８℃以下の冷凍温度から−８℃程度の弱冷凍温度、−３℃の部分凍結温度、約０℃のチルド温度、２℃程度の冷蔵温度、３℃の野菜保存温度、さらには約８℃のワイン保存温度まで任意に切り替えて冷却することができる温度切替室（４）とを左右に断熱区分して併置している。
【００１０】
前記製氷室（３）と温度切替室（４）の下方には、前記同様に断熱壁で区画された野菜室（５）を設け、最下部には冷凍室（６）を同様に断熱区画して配置しており、各貯蔵室（２）〜（６）は、その前面開口部を各々専用の開閉扉で閉塞しており、最上部に配置した最も収納容積の大きい冷蔵室（２）内には複数段に棚を配置し、その開口は一側あるいは両側をヒンジで枢支した一枚あるいは観音開き式の扉で回転式で開閉するようにしている。
【００１１】
冷蔵室下方の温度切替室（４）、野菜室（５）および冷凍室（６）は、扉に固着した図示しない支持枠上に載置した収納容器を貯蔵室内に設けたレールによって摺動させることで冷蔵庫本体（１）から前後方向に引き出し自在とした周知の構成を採用している。
【００１２】
このように各貯蔵室を配置することにより、最も使用頻度の高い冷蔵室（２）の室内は使用者の目線の高さ位置にあって収納物の出し入れ作業の使い勝手がよくなり、製氷室（３）や温度切替室（４）は本体のほぼ中央高さに位置することから、貯蔵された氷や食品の取り出しを腰を屈めずに容易におこなうことができる長所がある。
【００１３】
また、一般的に冷蔵室（２）に次いで使用頻度の高い野菜室（５）を製氷室（３）と温度切替室（４）の下部に設定したため、使用者は腰部分に当たる比較的高い位置で容器を扉とともに引き出し、容器の上面開口に対して上方から収納物を出し入れすることができ、これも使い勝手がよくなるものである。
【００１４】
さらに、最下部に位置した冷凍室（６）には長期に亙って貯蔵する冷凍食品と、比較的短期で食用に供する貯蔵品とを、例えば上下に区分して収納することにより、見易く、出し入れし易い高さ位置で取り扱うことができ、使い勝手のよい各貯蔵室のレイアウト設定ができる。
【００１５】
そして、上部に配置した冷蔵室（２）の背部には、冷蔵室および野菜室（５）を冷却する冷蔵用冷却器（７）およびファン（８）を設置しており、下方の前記野菜室（５）と冷凍室（６）との背部に亙っては、前記製氷室（３）、温度切替室（４）および冷凍室（６）を冷却する冷凍用冷却器（９）を背面壁に沿って立設している。これら冷蔵用冷却器（７）と冷凍用冷却器（９）には、本体下部に設置した圧縮機（11）の駆動によって冷媒が交互に流され、減圧装置によってそれぞれを所定温度で蒸発させることで冷蔵室（２）および各貯蔵室（３）〜（６）を設定温度に冷却するように制御される。
【００１６】
（10）は冷凍用冷却器（９）で生成された冷気を各貯蔵室（３）（４）（６）に吹き出すファンであり、冷蔵庫本体（１）高さのほぼ中央に位置する前記製氷室（３）と野菜室（４）の背部に亙って配置されている。ファン（10）から吐出された冷気は、それぞれ専用のダクトを介して前記製氷室（３）、温度切替室（４）および冷凍室（６）内に吹き出されるものであり、各冷気吹出し口（12）には開口を閉塞して冷気を遮断する図示しないモータダンパーなどのダンパーをそれぞれ設置し、室内空気温度を検知するセンサーの検出値によって冷凍サイクルの運転および各ダンパーを開閉し、個々の貯蔵室の設定温度に基づいて導入冷気量を調節して所定の設定室温になるよう制御するものである。
【００１７】
また、冷蔵用冷却器（７）で生成された冷気は、冷蔵庫内前方からの冷気の吹き出しおよび吸い込み状態を示す図３、および冷蔵空間の冷気の流れを示す図４に示すように、上部のファン（８）から左右に分流され、冷蔵室（２）の背面両側に上下に亙って設けたＲダクト（13）を介して矢印で示すように各冷気吹出し口（15）から冷蔵室（２）内に吐出し、貯蔵食品を冷却する。
【００１８】
一方Ｒダクト（13）の冷気の一部は、Ｒダクトから下方に延出するＶダクト（16）に流入して前記野菜室（５）の背面上部に設けたＶ冷気吹出し口（17）から野菜室内に吐出し、容器内に収納されている野菜類を冷却するものであり、容器内を冷却した冷気は、前記Ｖ吹出し口（17）に隣接して設けたＶ吸込み口（18）に吸い込まれ、ダクトによる奥行き寸法が大きくならないように前記Ｖダクト（16）の幅方向に併置したＶリターンダクト（19）によって再び冷蔵室（２）内に戻され、冷蔵室内を循環した冷気と混合して冷蔵室の背面下部に形成したＲ冷気吸込み口（20）からＲリターンダクト（14）を経て冷蔵用冷却器（７）に戻るようにする。
【００１９】
上記構成により、冷蔵用冷却器（７）の−１３℃程度の比較的高い蒸発温度で生成された冷気は、温度差の少ない熱交換によって冷蔵室（２）内の湿度低下を抑制して冷却とともに高湿度雰囲気を保持するものであり、冷蔵用冷却器（７）への着霜も大幅に少なくして無冷却時にファン（８）を回転することで除霜が可能となり、除霜ヒータによる除霜の手間やコストアップをなくすことができる。
【００２０】
また、野菜室（５）は、冷蔵室（２）を循環して再び冷却された高湿度の冷気をファン（８）からＶダクト（16）を介して導入することによって、収納負荷量が多く、また冷却開始後であっても速いスピードで冷却でき、室内を高湿度の雰囲気に保持することができる。同時に、野菜室（５）を循環した後の高湿冷気をＶリターンダクト（19）を介して再び冷蔵室（２）内に戻すようにしたので、野菜室と冷蔵室双方の温度差が１〜２℃と小さいこともあって冷蔵室温度に影響を与えることも少なく、温度調整を容易におこなうことができ、冷蔵室（２）と野菜室（５）とも室内を高い湿度雰囲気に保持して貯蔵食品の長期保存を効果的におこなうことができるものである。
【００２１】
冷凍用冷却器（９）で生成された冷気は、冷気の流れを示す図５、および冷却器近傍の横断面図である図６に示すように、ファン（10）からその一部を左右のＦ吹出し口（12）から製氷室（３）と温度切替室（４）に導入させるとともに、冷凍用冷却器（９）の両側に上下に亙って設けたＦダクト（21）を介してＦ吹出し口（12）から冷凍室（６）内に吐出されて貯蔵食品を冷却し、冷凍室（６）内を循環した冷気は冷凍室の背面中央に形成されたＦ吸込み口（22）からＦリターンダクト（23）を通って冷凍用冷却器（９）の下部吸込み位置に戻る。
【００２２】
このとき、冷凍室（６）内への冷気は、比較的奥方に位置するＦダクト（21）部から前方に向かってストレートに吹き出されるため、冷凍室（６）の上部を直進することになって収納食品に直接当たることを防止でき、冷気が直接当たって食品中の水分が凍結することによる乾燥をなくすことができる。
【００２３】
前記製氷室（３）と温度切替室（４）を冷却した冷気は、各室の背面下部に設けたＩおよびＳ吸込み口（24）（25）から野菜室（５）の背面と冷凍用冷却器（９）との間に配設した仕切断熱材（26）中に形成した製氷室からのＩリターンダクト（27）および温度切替室からのＳリターンダクト（28）内を流下し、冷凍用冷却器（９）に戻る。
【００２４】
そして、前記ＩおよびＳリターンダクト（27）（28）を流下する冷気の一部は、前記仕切断熱材（26）を貫通するＩ分岐ダクト（29）およびＳ分岐ダクト（30）を介して野菜室（５）内に導入されており、前記冷蔵室（２）を循環した冷気のみでは不足しがちな野菜室（５）の冷却能力をこの吹き出し冷気によって補い、冷却に寄与させることができる。
【００２５】
この場合、前記製氷室（３）や温度切替室（４）からのリターン冷気は、冷凍貯蔵空間の循環冷気であることから低温で且つ低湿度であり、野菜室（５）内への導入量は少量でよいことから、前記分岐ダクト（29）（30）の開口断面積は通常のダクト開口に比しても小径とするが、この構成によって、冷蔵室（２）と野菜室（５）の冷蔵貯蔵空間は、冷凍用冷却器（９）からの低温冷気が循環する冷凍貯蔵空間と連通することになる。なお、野菜室（５）は、容器と蓋によって保湿構造としているため、開口（31）（32）からの吹き出し冷気による収納食品への直接的な影響は少ない。
【００２６】
また、上記実施例においては、ＩおよびＳリターンダクト（27）（28）を流下する冷気の一部をＩ分岐ダクト（29）およびＳ分岐ダクト（30）を介して野菜室（５）へ導入する構成について述べたが、冷蔵室（２）についても、特に図示しないが、冷凍用冷却器（９）からファン（10）を経由して、例えば、製氷室（３）へ導入する冷気の一部を、前記同様の構成で冷蔵室（２）内に流入させることで、同様の作用効果を得ることができるものである。
【００２７】
なお、上記実施例によれば、前述したＦダクト（21）は冷凍用冷却器（９）の側方に配設しており、ＩおよびＳリターンダクト（27）（28）を冷凍用冷却器（９）前部の仕切断熱材（26）中に配置したので、Ｆダクト（21）の必要とする前方への断熱厚みを充分にとることができるとともに、ＩおよびＳリターンダクト（27）（28）は比較的温度が高く大きな断熱厚を必要としないことから、冷凍用冷却器（９）の前方における断熱厚を薄くすることができ、結果として、野菜室（５）など冷却器前方に設置した貯蔵室の奥行き寸法の増加により、収納容積を拡大することができる効果を奏する。
【００２８】
しかして、冷蔵室（２）の背面下方に設けられた冷蔵用冷却器（７）へのＲ吸込み口（20）近傍のリターンダクト（14）内には、その概略縦断面図を図７に示すように、光触媒モジュール（34）とその下流側に設けたオゾン分解触媒（40）とから構成された脱臭装置（33）を配設している。
【００２９】
光触媒モジュール（34）は、アルミナやシリカなどの多孔質セラミックからなる基体の表面に、酸化チタンに代表される光触媒材料を塗布して乾燥あるいは焼結することで固着した光触媒フィルタ（35）を２枚隣設し、この光触媒フィルタ間には、ステンレスなどの薄板をエッチングして、網目状に形成した放電電極（36）を立設するとともに、前記２枚の光触媒フィルタ（35）（35）のＲリターンダクト（14）における風上と風下側には前記放電電極（36）と同様に形成した対極（37）（37）をそれぞれ配置して構成している。
【００３０】
（38）は電源回路であり、高電圧発生トランス（39）により前記放電電極（36）と各対極（37）（37）との間に正のパルス状高電圧を印加する。また、前記放電電極（36）の網目の大きさは、対極（37）の網目の大きさよりも大きく形成されており、この構成により、放電電極（36）と対極（37）は紫外線発生用の放電手段として機能し、双方の電極間に放電が起きて波長が３８０ｎｍ以下である紫外線が発生する。
【００３１】
なお、前記光触媒モジュール（36）における光触媒フィルタは、必ずしも２枚隣設せずとも、臭気成分や有害物質が比較的少ない場合には、１枚の光触媒フィルタの前後に対極（37）と放電電極（36）を設ける構成でもよい。
【００３２】
上記構成の脱臭装置（33）は、冷蔵用ファン（８）の運転に同期して動作されるものであり、ファン（８）の回転駆動と同時に電源回路（43）に通電され、放電電極（36）と対極（37）との間に電圧を与えることで、電極間に放電が起き紫外線を発生させる。
【００３３】
紫外線が光触媒フィルタ（35）（35）に照射されることにより、光触媒を活性化させて発生した活性酸素が流下し、Ｒ吸込み口（20）からリターンダクト（14）内に吸い込まれて光触媒フィルタ（35）（35）の表面に付着した室内冷気の臭気成分や有機化合物の結合、あるいは果物などから発生するエチレンガスを水酸化ラジカル（遊離基）の強い酸化作用で分解し、無臭化若しくは低臭気化することで脱臭する。
【００３４】
また、菌の菌細胞膜を脆化させ抗菌をおこなうとともに、酸化分解作用によって光触媒フィルタ（35）表面の微生物の繁殖を抑制して、脱臭装置（33）や冷気通路の壁表面の汚れを分解除去する作用を有しているものである。
【００３５】
なお、この放電電極（36）と対極（37）が放電すると、紫外線とともにオゾンが発生することから、前記光触媒モジュール（34）は紫外線による活性酸素の発生で有害ガス成分を完全に分解させる機能とともに、オゾン発生手段としても機能して脱臭除菌作用をおこなうものであり、この光触媒モジュール（34）から風下側には所定距離を空けてオゾンを吸収するオゾン分解触媒（40）を設置している。このオゾン分解触媒（40）は２酸化マンガンを主成分としたハニカム形状の焼結体から形成されており、前記光触媒モジュール（34）で発生したオゾンの中で臭気物質と反応しなかったオゾンを吸収して分解し、そのまま排気されて貯蔵室内に流入することを防いでいる。
【００３６】
上記構成により、冷蔵貯蔵空間および冷凍貯蔵空間は、前記野菜室（５）内へ冷凍空間冷気を導入しているＩ分岐ダクト（29）およびＳ分岐ダクト（30）により連通し、冷蔵用冷却器（８）からの冷気が冷蔵貯蔵空間内を循環するのみでなく、冷凍貯蔵空間の冷気もその一部が前記Ｉ、Ｓ分岐ダクト（29）（30）を通じて冷蔵空間側へ循環することになる。
【００３７】
したがって、所定時間の間には、全ての冷気が循環によって冷蔵室（２）の冷気吸込み口（20）から流入して脱臭装置（33）を通過することになるため、冷凍冷蔵の各貯蔵空間毎に脱臭装置を設ける必要はなく、設置スペースの削減による室内貯蔵スペースが拡大でき、コストアップすることなく冷蔵庫内全体の冷気を脱臭し除菌することができる。
【００３８】
本件発明者らが冷蔵室（２）のリターンダクト（14）に前記脱臭装置（33）を配設しておこなった実験によれば、冷却運転中の冷蔵室（２）および冷凍室（６）内にそれぞれアンモニア水溶液３０μＬを噴霧して各室のアンモニア濃度の減衰を測定したが、冷蔵空間である冷蔵室（２）および野菜室（５）は双方とも３０分後にアンモニア濃度が２５ｐｐｍから２．５ｐｐｍへと１０分の１の値となり、冷凍室（６）については２５分後に５２ｐｐｍが３．５ｐｐｍへと速い速度で６．７％までアンモニア濃度の減衰がみられた。
【００３９】
上記実施例構成を採用すれば、冷蔵室（２）、野菜室（５）とも従来と同様に高湿度の雰囲気が得られて食品の長期保存を可能とするとともに、冷凍空間の低温度冷気の一部を冷蔵貯蔵空間に導入することで冷蔵空間の冷却に寄与させることができ、冷却効率の向上がはかれる利点がある。
【００４０】
なお、このとき、野菜室（５）へ流出するＩＳリターンダクト（27）（28）からの冷凍側冷気量は、分岐ダクト（29）（30）が径小であることからわずかであり、且つ所定時間、例えば３０分をかけて循環するので、冷凍側に与える冷却力損失の影響はほとんどないものである。
【００４１】
なお、脱臭装置（33）の設置場所については、上記冷蔵室冷気吸込み口（20）の近傍に限らず、野菜室（５）部におけるＶリターンダクト（19）内でもよい。また、冷凍貯蔵空間においても生食品が凍結するまでの臭気が空間内を循環し、製氷された氷などへの移臭が発生することから、冷凍室（６）内冷気が通過するＦリターンダクト（23）内など、貯蔵室内スペースへの影響の小さい箇所に設けることで、臭気の根絶をはかるようにしてもよい。
【産業上の利用可能性】
【００４２】
本発明は、冷蔵空間と冷凍空間とを専用の冷却器およびファンで冷却し、脱臭機構を具備する冷蔵庫に利用することができる。
【図面の簡単な説明】
【００４３】
【図１】本発明の１実施形態を示す冷蔵庫の縦断面図である。
【図２】図１における冷蔵庫の扉を省略した状態を示す正面図である。
【図３】冷蔵庫内前方からの冷気の吹き出しおよび吸込み状態を示す斜視図である。
【図４】図２の冷蔵貯蔵空間の冷気循環状態を示す概略正面図である。
【図５】図２の冷凍貯蔵空間の冷気循環状態を示す概略正面図である。
【図６】図１における冷凍用冷却器部分の横断面図である。
【図７】図２の冷蔵室冷気吸込み口内に配置した脱臭装置の概略縦断面図である。
【符号の説明】
【００４４】
１  冷蔵庫本体            ２  冷蔵室                ３  製氷室
４  温度切替室            ５  野菜室                ６  冷凍室
７  冷蔵用冷却器          ８  冷蔵用ファン          ９  冷凍用冷却器
10  冷凍用ファン          11  圧縮機                12  冷凍空間冷気吹出し口
13  Ｒダクト              14  Ｒリターンダクト      15  Ｒ吹出し口
16  Ｖダクト              17  Ｖ吹出し口            18  Ｖ吸込み口
19  Ｖリターンダクト      20  Ｒ吸込み口            21  Ｆダクト
22  Ｆ吸込み口            23  Ｆリターンダクト      24  Ｉ吸込み口
25  Ｓ吸込み口            26  仕切断熱材            27  Ｉリターンダクト
28  Ｓリターンダクト      29  Ｉ分岐ダクト          30  Ｓ分岐ダクト
31、32  冷気開口          33  脱臭装置              34  光触媒モジュール
35  光触媒フィルタ        36  放電電極              37  対極
38  電源回路              39  トランス              40  オゾン分解触媒
【図１】
2006258332.tif 000003
【図２】
2006258332.tif 000004
【図３】
2006258332.tif 000005
【図４】
2006258332.tif 000006
【図５】
2006258332.tif 000007
【図６】
2006258332.tif 000008
【図７】
2006258332.tif 000009